(57)【要約】【課題】  組み立て式の折り畳みベンチにおいて、荷重に対する撓み強度を高めるとともに、部品点数を削減し、ベンチの組立てを容易にすることを目的とする。【解決手段】  座板２と、座板２の下端に折り畳み自在にヒンジ結合した左右一対の脚３，３と、左右一対の脚３，３の下部と、座板２の下面との間に着脱自在に取り付けられ、正面視で、台形状、Ｖ字状またはＣ字状であって、頂部７ｃが座板２に当接する補強部材７を備えることを特徴とする。【選択図】  図１
0003197821.tif 000002
【実用新案登録請求の範囲】
【請求項１】
座板（２）と、
前記座板（２）の下端に折り畳み自在にヒンジ結合した左右一対の脚（３），（３）と、
前記左右一対の脚（３），（３）の下部と、前記座板（２）の下面との間に着脱自在に取り付けられ、正面視で、台形状、Ｖ字状またはＣ字状であって、頂部（７ｃ）が前記座板（２）に当接する補強部材（７）を備えることを特徴とする折り畳みベンチ。
【請求項２】
前記補強部材（７）は、両端で地面に接地する水平部（７ａ），（７ｂ）と、前記座板（２）側に湾曲し、前記水平部（７ａ），（７ｂ）の基端同士を繋ぐアーチ部（７ｄ）を備え、
前記水平部（７ａ），（７ｂ）は、ネジ溝が上方に向いて連結固定されるボルト（９）を有し、
前記アーチ部（７ｄ）は、頂部（７ｃ）にネジ孔（７ｅ）を開孔し、
前記座板（２）は、ネジ溝が下方を向いて連結固定されるボルト（２２）を有し、
前記左右一対の脚（３），（３）は、下部にそれぞれネジ孔（４ｃ）を開孔してなり、
前記水平部（７ａ），（７ｂ）のボルト（９）と前記左右一対の脚（３），（３）のネジ孔（４ｃ）とがボルトナット連結され、さらに前記アーチ部（７ｄ）のネジ孔（７ｅ）と前記座板（２）のボルト（２２）とがボルトナット連結されることで、前記補強部材（７）が前記脚（３），（３）間に取り付けられることを特徴とする請求項１に記載の折り畳みベンチ。
【請求項３】
前記補強部材（７）の前記水平部（７ａ），（７ｂ）の先端部（７ｆ）が、前記左右一対の脚（３），（３）間から左右に突出することを特徴とする請求項２に記載の折り畳みベンチ。
【請求項４】
前記座板（２）の下面に前記左右一対の脚（３，３）をヒンジ結合するヒンジ金具（Ｂ）をそれぞれ設け、
前記ヒンジ金具（Ｂ）は、前記座板（２）の下面に固定されて設けられた座板側片（１１）と、前記脚（３）の上端部に設けられた脚側片（１２）と、前記座板側片（１１）と前記脚側片（１２）を前記左右一対の脚（３），（３）の中間側端部で連結するヒンジ軸（１３）とからなることを特徴とする請求項１から３のいずれか一項に記載の折り畳みベンチ。
【請求項５】
前記座板（２）は、板本体（２ｆ）と、前記板本体（２ｆ）の両端部から立ち上がる補強フレーム（２ｇ），（２ｇ）と、前記補強フレーム（２ｇ），（２ｇ）の端部にそれぞれ形成されたコの字状の返し部（２ｄ），（２ｄ）と、前記補強フレーム（２ｇ），（２ｇ）と前記返し部（２ｄ），（２ｄ）と前記板本体（２ｆ）の間に形成された溝（２ｅ），（２ｅ）と、それぞれの前記溝（２ｅ），（２ｅ）に嵌め込まれている補強パイプ（２１），（２１）と、前記補強パイプ（２１），（２１）の外周同士に架け渡されて設けられる架設板（１０）と、前記座板（２）の下面に突設されるリブ（２ｂ）を備えてなり、
前記座板側片（１１）が、前記架設板（１０）に連結され、
前記リブ（２ｂ）と前記架設板（１０）の間に隙間を設けることを特徴とする請求項４に記載の折り畳みベンチ。
【請求項６】
前記座板側片（１１）と前記脚側片（１２）は、前記座板（２）と前記脚（３）にそれぞれ複数のボルト（３１），（３２）で連結固定されており、
これらのボルト（３１），（３２）は、前記脚（３）が起立する際に、ボルト頭がそれぞれ前記座板側片（１１）と前記脚側片（１２）に当接することを特徴とする請求項４または５に記載の折り畳みベンチ。
【考案の詳細な説明】
【技術分野】
【０００１】
この考案は、公園、駅構内、自動販売機のそば等に設置されるベンチに関する。
【背景技術】
【０００２】
近年、駅構内や自動販売機のそば等様々な所に休憩用のベンチが設置されている。このように様々な所にベンチを設置するにあたって、ベンチを目的地まで運ぶため、このようなベンチは運搬、収納性に優れることが好ましい。
【０００３】
一般に上記のような固定式のベンチは工場で一体に組み付けられたものを、または家具店で販売されている一体型のものをベンチ業者、あるいは一般人が購入してトラック等の輸送手段で設置場所に移送している。しかしながら、このように予め一体に組み立てているベンチは容積が大きく一度に多量に輸送できないし、多くの作業者も必要となる。また、倉庫に保管する場合には大きなスペースが必要となり、保管場所に困る不具合がある。
【０００４】
そこで、このような不具合を解消するため、例えば、特許文献１にあるような折り畳み式のベンチが開発されている。
【０００５】
この折り畳み式ベンチは、着座部と、この着座部に折り畳み自在に連結した背もたれと、左右一対の脚部とからなるもので、ベンチの持ち運びおよび組立てを容易にしている。
【先行技術文献】
【特許文献】
【０００６】
【特許文献１】特開２００９−１６５７９０
【考案の概要】
【考案が解決しようとする課題】
【０００７】
しかしながら、上記特許文献１に記載の折り畳み式ベンチにおいては、矩形の着座部たる座板の長手方向の両端にそれぞれ脚部が設けられているだけなので、長期間使用すると、座る人の体重等による荷重で座板が撓んでしまう恐れがある。そのため、これを解消するためには座板の板厚を厚くして撓み強度を向上させる必要があり、座板の材料費が嵩み加工性にも劣る。
【０００８】
また、折り畳み式ではない従来のベンチにおいては、例えば三角形のような多部材からなる補強パイプを左右の脚の間に設けることで、三角形の頂点をベンチの座板に当接させて、ベンチにかかる荷重を左右に分解し、座板の荷重に対する強度を高めているベンチも存在する。しかしながら、多部材からなる補強パイプは、各辺に一本ずつパイプを使用しなければならないため、部品点数が多くなってしまい、ベンチの組立てを複雑にし、加工性、組付性、経済性において問題がある。
【０００９】
そこで、本考案の目的は、搬送、収納が容易であるばかりでなく、設置現場での組立てが容易であり、耐久性にも優れた組み立て式の折り畳みベンチを提供することである。
【課題を解決するための手段】
【００１０】
前記課題を解決するための手段は、座板と、前記座板の下端に折り畳み自在にヒンジ結合した左右一対の脚と、前記左右一対の脚の下部と、前記座板の下面との間に着脱自在に取り付けられ、正面視で、台形状、Ｖ字状またはＣ字状であって、頂部が前記座板に当接する補強部材を備えることを特徴とする。
【００１１】
また、前記補強部材は、両端で地面に接地する水平部と、前記座板側に湾曲し、前記水平部の基端同士を繋ぐアーチ部を備え、前記水平部は、ネジ溝が上方に向いて連結固定されるボルトを有し、前記アーチ部は、頂部にネジ孔を開孔し、前記座板は、ネジ溝が下方を向いて連結固定されるボルトを有し、前記左右一対の脚は、下部にそれぞれネジ孔を開孔してなり、前記水平部のボルトと前記左右一対の脚のネジ孔とがボルトナット連結され、さらに前記アーチ部のネジ孔と前記座板のボルトとがボルトナット連結されることで、前記補強部材が前記脚間に取り付けられるようにしてもよい。
【００１２】
また、前記補強部材の前記水平部の先端部が、前記左右一対の脚間から左右に突出するようにしてもよい。
【００１３】
また、前記座板の下面に前記左右一対の脚をヒンジ結合するヒンジ金具をそれぞれ設け、前記ヒンジ金具は、前記座板の下面に固定されて設けられた座板側片と、前記脚の上端部に設けられた脚側片と、前記座板側片と前記脚側片を前記左右一対の脚の中間側端部で連結するヒンジ軸とからなるようにしてもよい。
【００１４】
また、前記座板は、板本体と、前記板本体の両端部から立ち上がる補強フレームと、前記補強フレームの端部にそれぞれ形成されたコの字状の返し部と、前記補強フレームと前記返し部と前記板本体の間に形成された溝と、それぞれの前記溝に嵌め込まれている補強パイプと、前記補強パイプの外周同士に架け渡されて設けられる架設板と、前記座板の下面に突設されるリブを備えてなり、前記座板側片が、前記架設板に連結され、前記リブと前記架設板の間に隙間を設けるようにしてもよい。
【００１５】
また、前記座板側片と前記脚側片は、前記座板と前記脚にそれぞれ複数のボルトで連結固定されており、これらのボルトは、前記脚が起立する際に、ボルト頭がそれぞれ前記座板側片と前記脚側片に当接するようにしてもよい。
【考案の効果】
【００１６】
本考案によると、組み立て式の折り畳みベンチにおいて、荷重に対する撓み強度を高めるとともに、部品点数を削減し、ベンチの組み立てを容易にすることができる。
【００１７】
また、本考案によると、補強部材のボルトとネジ孔を折り畳みベンチの裏側から一対の脚と座板に設けられたボルトとネジ孔をそれぞれボルトナット連結するだけで、折り畳みベンチの向きを変更せずとも補強部材を一対の脚間に取り付けできる。
【００１８】
また、本考案によると、座板の片側に人が座るなどして偏った荷重がかかったとしても、水平部の先端部が地面に当接し、踏ん張るため折り畳みベンチの転倒を防止できる。
【００１９】
また、本考案によると、脚が９０度以上外方に回動しようとすると、脚の上端面と座板がヒンジ金具を介して当接し、移動が規制されるため、脚の起立状態である９０度で位置決め可能にする。
【００２０】
また、本考案によると、座板に荷重がかかると、座板が撓んでリブが、架設板に当接することで、座板のそれ以上の撓みを防止できる。
【００２１】
また、本考案によると、座板にかかる荷重を複数のボルトをそれぞれ支点にして支えるため、ヒンジ軸に荷重が集中して、ヒンジ金具が破損するのを防止できる。
【図面の簡単な説明】
【００２２】
【図１】本実施の形態に係る折り畳みベンチを示す全体正面図である。
【図２】本実施の形態に係る折り畳みベンチを示す全体側面図である。
【図３】組立て前の座板と一対の脚において、脚が内側に折り畳まれた状態を示す図であって、（ａ）は底面図であり、（ｂ）は正面図を示す。
【図４】補強部材の水平部と、脚の凸部がボルトナット連結する部分を示す拡大側面図である。
【図５】座板と脚をヒンジ結合するヒンジ金具を示す拡大断面斜視図であって、（ａ）は脚が起立している状態を示し、（ｂ）は脚が折り畳まれている状態を示す。
【図６】脚の間に取り付け前の補強部材を示す正面図である。
【図７】脚の間に取り付け前の背もたれを示す背面図である。
【図８】本実施の形態に係る折り畳みベンチを示す全体斜視図である。
【考案を実施するための形態】
【００２３】
以下に、図示した本実施の形態に基づいて、図面を参照しながら説明する。いくつかの図面を通して付された同じ符号は、同じ部品か対応する部品を示す。
【００２４】
本実施の形態に係る折り畳みベンチ１は、図１、図２、図８に示すように、座板２と、座板２の下端の図１中左右両側に折り畳み自在にヒンジ結合した一対の脚３，３と、一対の脚３，３の間に着脱自在に取り付けられる補強部材７と、脚３，３の後側脚部６の上端に着脱自在に連結される背もたれ８を備えてなる。
【００２５】
以下、各部品の構造について詳細に説明する。本実施の形態に係る座板２は、二枚平行に並べていた平板２ａ，２ａからなり、各平板２ａ，２ａは、図３（ａ）、図５、図８に示すように、板本体２ｆと、この板本体２ｆの両端部から立ち上がる補強フレーム２ｇ，２ｇと、補強フレーム２ｇ，２ｇの端部にそれぞれ形成した補強用の返し部２ｄ，２ｄを有して構成され、これらの平板２ａ，２ａは短手方向に真ん中を横切るようにして連結金具２ｃで連結されている。
【００２６】
返し部２ｄは、端部が内側を向いているため、座板２の前後が丸みを帯びる。また、平板２ａと補強フレーム２ｇと返し部２ｄの間に形成される溝２ｅには、図５ａ、図５ｂに示すように、それぞれ補強パイプ２１が嵌め込まれ、図示しないビスによって、補強フレーム２ｇに固定されている。そのため、平板２ａは、補強フレーム２ｇと、返し部２ｄと補強パイプ２１を備えることで撓み強度が高められている。
【００２７】
また、平板２ａの下面には、リブ２ｂが平板２ａの中心を長手方向に突設されている。なお、本実施の形態においてリブ２ｂは、平板２ａの中心に設けられているが、設置位置は中心に限られない。
【００２８】
さらに、図３（ａ）、図３（ｂ）に示すように、連結金具２ｃの真ん中には、地面側たる下方に向けてボルト２２が固定されている。ここで、ボルト２２は、図示しないが、連結金具２ｃに溶接固定あるいはナットのような溝を設けたワッシャによってボルト２２を連結金具２ｃに締め付けて固定されている。ただし、ボルト２２の固定方法は、上記方法に限定されるものではない。
【００２９】
なお、本考案においては、座板２を１枚板にしてもよいが、平板２ａを２枚並べた本実施の形態に比べ、撓み部分が増えるので、折り畳みベンチの強度を考慮すると、２枚板以上の方が好ましい。
【００３０】
本実施の形態に係る脚３は、パイプ材からなり、図２に示すように、地面と接地し、座板２にかかる荷重を支える支持部４と、支持部４の両端から座板２側に向けてそれぞれ延びる前側脚部５と前側脚部５よりも上方に長く形成される後側脚部６とを備えてなる。
【００３１】
そして、前側脚部５の上端と後側脚部６の上部は、前側脚部５の上端から水平に延びる水平板Ａによって、連結されている。なお、水平板Ａは、前側脚部５の上端と後側脚部６の上部に、溶接で結合されている。
【００３２】
また、支持部４は、山なりに成形されており、前後で地面に接地して、折り畳みベンチ１を支える前後一対の接地部４ａ，４ａと、地面に接地しない凸部４ｂからなる。さらに、図６に示すように、凸部４ｂには、凸部４ｂの地面側の底部から頂部に向けて開口するネジ孔４ｃが開孔されている。
【００３３】
また、後側脚部６には、水平板Ａから上方に延びるインロー部６ｂが形成され、このインロー部６ａの上端に上端縮径部６ｂが形成されている。
【００３４】
そして、脚３，３は、前側脚部５と後側脚部６とを連結する水平板Ａと座板２がヒンジ金具Ｂを介して連結されることで、折り畳み自在に座板２に連結される。
【００３５】
脚３と座板２を連結する構造について以下詳細に説明する。図５（ａ），図５（ｂ）に示すように、板本体２ｆと補強フレーム２ｇと返し部２ｄの間に形成される溝２ｅ，２ｅにそれぞれ嵌め込まれ、補強フレーム２ｇに図示しないビスで固定されている補強パイプ２１，２１の外周同士に、架設板１０が架設されている。ここで、架設板１０は脚３を設ける任意の位置に架設されてよい。
【００３６】
また、架設板１０と座板２の下面に設けられたリブ２ｂの間は、座板２に荷重がかかっていないときには、当接しておらず、隙間が設けられている。
【００３７】
図５（ｂ）に示すように、ヒンジ金具Ｂは、架設板１０にボルト連結される座板側片１１と、水平板Ａにボルト連結される脚側片１２と、座板側片１１と脚側片１２を左右一対の脚３，３の中間側端である図中内側端で回動自在に連結するヒンジ軸１３とからなる。具体的には、座板側片１１と脚側片１２は、筒状の保持部１１ａ，１２ａがそれぞれ設けられており、これらの保持部１１ａ，１２ａを噛み合わせた状態で、保持部１１ａ、１２ａにヒンジ軸１３を挿入することで、ヒンジ軸１３を中心にして座板側片１１と脚側片１２は回転自在に連結されている。
【００３８】
図５（ａ）は脚３を起立した状態を示し、図５（ｂ）は、脚３を折り畳んだ状態を示している。図５（ａ）の状態から脚３を内方たる矢印Ｑ方向に回動して、ヒンジ軸１３を介して水平板Ａと連結された脚側片１２を開くと、図５（ｂ）に示すように脚３は折り畳まれる。反対に、図５（ｂ）の状態から脚３を外方たる矢印Ｐ方向に回動して、脚側片１２を閉じると、図５（ａ）に示すように脚３は起立する。
【００３９】
このとき、図５（ａ）の状態では、脚３は外方への移動が規制された状態となり、脚３は９０度に起立するところで位置決めされる。
【００４０】
なお、本実施の形態では架設板１０は、一枚の平板２ａに二つずつ設けられているため、合計四つの架設板１０で脚３，３を回動自在に連結しているが、少なくとも左右に１つずつあれば脚３，３を連結するには足りる。
【００４１】
図５（ａ）、図５（ｂ）に示すように、本実施の形態に係る座板２に設けられる架設板１０にボルト連結される座板側片１１と、脚３の水平板Ａにボルト連結される脚側片１２は、それぞれ２つずつのボルトで連結固定されている。そして、図５（ｂ）に示すように、座板側片１１を固定する２つのボルト３１，３１は、座板側片１１の外側に螺合され、脚側片１２を固定する２つのボルト３２，３２は、脚側片１２の内側に２つとも螺合されており、一方のボルト３１，３１は脚側片１２に対向し、他方のボルト３２，３２は座板側片１１に対向して両ボルト３１，３２の取付位置をずらしている。
【００４２】
このため、図５（ａ）に示すように、脚３を起立させたとき、一方のボルト３１のボルト頭が脚側片１２に当接し、他方ボルト３２のボルト頭が座板側片に当接することで、これらのボルト３１、３２を介して座板２側の荷重を脚３が担持するようになっている。
【００４３】
本実施の形態に係る補強部材７は、図１、図４に示すように、両端で地面に接地する水平部７ａ，７ｂと、図中左側の水平部７ａの基端と図中右側の水平部７ｂの基端を繋ぎ、水平な頂部７ｃが座板２の真ん中位置周辺に当接するように湾曲する全体が台形状のアーチ部７ｄとで、一体に成形されて一部材のパイプ材からなる。ただし、この補強部材７は、全体がＶ字状あるいはＣ字状でもよい。
【００４４】
さらに、本実施の形態に係る水平部７ａ，７ｂには、図６に示すように、ボルト９がネジ溝を図中上方に向くようにそれぞれ結合されている。ここで、ボルト９は、図示しないが、水平部７ａ，７ｂに溶接固定あるいはナットのような溝を設けたワッシャによってボルト９を水平部７ａ，７ｂに締め付けて固定される。ただし、ボルト９の固定方法は、上記方法に限定されるものではない。
【００４５】
また、頂部７ｃには、連結金具２ｃに設けられたボルト２２に対向する位置にネジ孔７ｅが開孔されており、補強部材７と座板２がボルトナット連結可能になっている。
【００４６】
また、図１、図８に示すように、補強部材７は、図中横長さが一対の脚３，３間よりも長く設定されており、一対の脚３，３間に取り付けたときに、水平部７ａ，７ｂの先端部７ｆ，７ｆが脚３，３から左右に突出して形成されてなる。
【００４７】
本実施の形態に係る背もたれ８は、図２、図７に示すように、背板８ａと、背板８ａの左右両側にそれぞれ設けられ、後側脚部６のインロー部６ｂにおける上端縮径部６ｂに着脱自在に挿入可能なパイプ状の背板固定部材８ｂからなる。
【００４８】
背板８ａは、図７中上下端部にコの字状の返し部８ｄ，８ｄを有する矩形の平板部８ｃと、返し部８ｄによって形成される溝にそれぞれ嵌め込まれ、返し部８ｄに図示しないビスで固定される補強パイプ８ｅ，８ｅを有してなる。
【００４９】
背板固定部材８ｂは、有底筒状の直状のパイプ材からなり、基端が開口され、補強パイプ８ｅ，８ｅに直交するように溶接連結されて、基端が背板８ａから下方に向けて突出して設けられる。
【００５０】
そして、背板固定部材８ｂの内径は、後側脚部６の上端縮径部６ｂよりもわずかに大きく設定されており、上端縮径部６ｂに嵌合可能となっている。そのため、背もたれ８は、後側脚部６の上端部に容易に着脱自在に連結できる。
【００５１】
以下、本実施の形態に係る折り畳みベンチ１の組み立て方法について詳細に説明する。本実施の形態に係る折り畳みベンチ１は、脚３がヒンジ結合された座板２（図３（ａ），（ｂ））と、補強部材７（図６）と、背もたれ８（図７）に分離可能となっており、一対の脚３，３を図５（ｂ）に示すように折り畳むことで、これらの部材を重ねて容易に収納、運搬できる。
【００５２】
上記のように収納された各部材を運搬後、座板２の下面を表に向けてから、座板２にヒンジ結合されて折り畳まれている一対の脚３，３を、ヒンジ金具Ｂによって回動が規制されるまで外方に回動させて９０度の角度で位置決めする。
【００５３】
その後、補強部材７の水平部７ａ，７ｂにそれぞれ結合されたボルト９を脚３の凸部４ｂに開孔されたネジ孔４ｃに底部から挿入し、反対側からナット締めすることで、図４に示すように、補強部材７の水平部７ａ，７ｂは、脚３，３間に着脱自在に連結される。このとき、脚３の支持部４は、凸部４ｂを備えているため、補強部材７の水平部７ａ，７ｂは凸部４と地面の隙間に収容される。さらに、頂部７ｃに開孔されたネジ孔７ｅを座板２の下面に設けられた連結金具２ｃに連結固定されているボルト２２と嵌合し、ナット締めすることで、補強部材７の頂部７ｃが座板２に当接した状態で連結される。
【００５４】
そして、座板２の上面を表に返し、脚３，３で起立させてから、後側脚部６の上端縮径部６ｂに背もたれ８の背板固定部材８ｂを嵌合することで、背もたれ８を着脱自在に取り付けできる。
【００５５】
上記方法により、補強部材７を取り付ける行程が全て折り畳みベンチ１の裏側からできるため、本考案は、補強部材７を備える折り畳みベンチ１を容易に組み立てることができる。
【００５６】
以下、本実施の形態に係る考案の効果について説明する。本実施の形態に係る折り畳みベンチ１は、座板２と、前記座板２の下端に折り畳み自在にヒンジ結合した左右一対の脚３，３と、左右一対の脚３，３の下部と、座板２の下面との間に着脱自在に取り付けられ、正面視で、台形状、Ｖ字状またはＣ字状であって、頂部７ｃが前記座板２に当接する補強部材７を備える。そのため、脚３，３から離れていて撓み強度の比較的弱い座板２の真ん中付近にも補強部材７が当接し、座板２にかかる荷重を左右に分解するため、座板２の撓み強度を向上させている。
【００５７】
また、本実施の形態に係る補強部材７は、一の部材からなるため、組立てに手間を要しないとともに、複数の部材を溶接やボルト等で連結して成形された場合に比べて、連結箇所がないため、腐食しにくい。
【００５８】
加えて、補強部材７は、一対の脚３，３間に取り付けられるため、人が着座した際などに、一対の脚３，３が、内側に回動して勝手に折り畳まれてしまうのを防止できる。
【００５９】
また、本実施の形態に係る折り畳みベンチ１は、補強部材７の水平部７ａ，７ｂと座板２の連結金具２ｃにボルト９，２２がそれぞれ予め連結固定され、脚３の下部である支持部４と補強部材７のアーチ部７ｄには、ネジ孔４ｃ，７ｅがそれぞれ設けられている。この構成によると、脚３，３間に補強部材７を取り付ける際にボルト９，２２を各ネジ孔４ｃ，７ｅに挿入するだけで足り、孔同士を位置合わせしてからボルトを挿入するといった手間を省略できる。
【００６０】
また、脚３の支持部４は、凸部４ｂを備えており、ネジ孔４ｃは凸部４ｂに設けられているため、補強部材７の水平部７ａ，７ｂを脚３の支持部４に連結しても、水平部７ａ，７ｂが凸部４と地面の隙間に収容されるため、水平部７ａ，７ｂが地面に干渉せず、折り畳みベンチ１が、がたつく恐れがない。
【００６１】
その上、本実施の形態に係る水平部７ａ，７ｂに連結固定されているボルト９は、ネジ溝が上方を向いており、座板２の連結金具２ｃに連結固定されたボルト２２は、ネジ溝が下方に向いているため、補強部材７を取り付ける行程を、全て折り畳みベンチ１の裏側からすることができ、補強部材７を取り付けるために都度折り畳みベンチ１の向きを変えなくてすむ。
【００６２】
なお、本実施の形態においては、連結金具２ｃにボルト２２が連結固定されているが、座板２に直接設けられるようにしてもよい。
【００６３】
また、本実施の形態に係る折り畳みベンチ１は、補強部材７の水平部７ａ，７ｂの先端部７ｆが、左右一対の脚３，３間から左右に突出している。この構成によると、片側に人が座るなどして、折り畳みベンチ１のどちらか一方側に荷重がかかるような場合にも、水平部７ａ，７ｂの先端部が地面に当たって突っ張るため、折り畳みベンチ１の他方側が浮いて転倒してしまうのを防止できる。
【００６４】
また、本実施の形態に係る折り畳みベンチ１は、座板２の下面に左右一対の脚３，３をヒンジ結合するヒンジ金具Ｂをそれぞれ設け、ヒンジ金具Ｂは、座板２の下面に固定されて設けられた座板側片１１と、脚３の上端部に設けられた脚側片１２と、座板側片１１と脚側片１２を左右一対の脚３，３の中間側端部で連結するヒンジ軸１３とからなる。この構成によると、一対の脚３，３を折り畳み状態から広げる際に、座板２に一対の脚３，３の上端部がそれぞれヒンジ金具Ｂを介して当接するため、脚３が起立する９０度の位置で、脚３の外方への移動が規制されて、脚３を起立位置で容易に位置決めすることができ、補強部材７の取り付けをさらに容易にすることができる。
【００６５】
また、本実施の形態に係る折り畳みベンチ１は、座板２が、板本体２ｆと、板本体２ｆの両端部から立ち上がる補強フレーム２ｇ，２ｇと、補強フレーム２ｇ，２ｇの端部にそれぞれ形成されたコの字状の返し部２ｄ，２ｄと、補強フレーム２ｇ，２ｇと返し部２ｄ，２ｄと板本体２ｆの間に形成された溝２ｅ，２ｅと、それぞれの溝２ｅ，２ｅに嵌め込まれている補強パイプ２１，２１と、補強パイプ２１，２１の外周同士に架け渡されて設けられる架設板１０と、座板２の下面に突設されるリブ２ｂを備えてなり、座板側片１１が、架設板１０に連結され、リブ２ｂと架設板１０の間に隙間を設けてなる。この構成によると、補強パイプ２１が座板２の撓み強度を高めると共に、座板２に荷重がかかると、座板２が撓んでリブ２ｂが、架設板１０に当接するため、座板２のそれ以上の撓みを防止できる。さらに、返し部２ｄは、端部が内側を向いているため、座板２の前後端が丸みを帯びており、ベンチに着座した際に、座った人の衣服や体を傷つける恐れがない。
【００６６】
また、本実施の形態に係る折り畳みベンチ１は、座板側片１１と脚側片１２が、座板２の架設板１０と脚３の水平板Ａにそれぞれ２つずつのボルト３１，３２で連結固定されており、これらのボルト３１，３２は、脚３が起立する際に、ボルト頭がそれぞれ座板側片１１と脚側片１２に当接する。この構成によると、ヒンジ金具Ｂにかかる荷重が、ボルト３１，３２のボルト頭の４点に分散してかかるため、ヒンジ軸１３に荷重が集中しなくなり、ヒンジ金具Ｂを破損しにくくできる。なお、ボルトの数は、２以上であってもよく、ヒンジ金具Ｂにかかる荷重が分散される構成になっていればよい。
【００６７】
また、この構成によると、ヒンジ金具Ｂを座板２と脚３の上端部にボルト連結しているため、座板２あるいは脚３のどちらか一方に割れや折れ曲がりなどの不具合が生じた場合であっても、ボルトを緩めて不具合が生じた方だけ取り換えることができる。
【００６８】
以上、本考案の好ましい実施の形態を詳細に説明したが、実用新案登録請求の範囲から逸脱なく改造、変形及び変更ができるのは当然である。
【００６９】
例えば、ヒンジ金具Ｂの座板側片１１と脚側片１２を、ボルト連結ではなく、溶接で座板側片１１と脚側片１２を座板２と脚３の上端部にそれぞれ連結し、脚３，３が起立する際に、座板側片１１と脚側片１２が直接当接するようにしたとしても、一対の脚３，３は、９０度の起立位置で位置決めできる。
【００７０】
また、背もたれ８は、本考案の実施に必ずしも必要ではなく、省略されてもよい。
【符号の説明】
【００７１】
１  折り畳みベンチ
２  座板
２ｂリブ
２ｄ  返し部
２ｅ  溝
２ｆ  板本体
３  脚
４ｃ  ネジ孔
７  補強部材
７ａ，７ｂ  水平部
７ｃ  頂部
７ｄ  アーチ部
７ｅ  ネジ孔
９  ボルト
１０  架設板
１１  座板側片
１２  脚側片
１３  ヒンジ軸
２１  補強パイプ
２２  ボルト
３１，３２  ボルト
Ｂ  ヒンジ金具
【図１】
0003197821.tif 000003
【図２】
0003197821.tif 000004
【図３】
0003197821.tif 000005
【図４】
0003197821.tif 000006
【図５】
0003197821.tif 000007
【図６】
0003197821.tif 000008
【図７】
0003197821.tif 000009
【図８】
0003197821.tif 000010